(57)【要約】美麗な花束を簡単かつ安価に提供できるようにするとともに、机上に載置して装飾としても利用できるようにした生花等の包装袋を提供する。シートを二つ折りにして２枚重ねとし、折線を含む一角を切除してマチ部とし、該マチ部とそれと連続する側辺を接合して、開口部がマチ部より広く開口した略扇状の袋に形成すると共に、上記開口部の縁部に沿ってミシン目を設けるという手段を採用した。または、２枚のシートを重ねて２枚重ねとし、マチ部とそれを挟む両側辺を接合して袋に形成するという手段を採用した。そして、ミシン目の端部に透孔を設けるという手段、または、補強シールを貼付するという手段を採用した。
2004000669.tif 000002
【特許請求の範囲】
【請求項１】
シートを二つ折りにして２枚重ねとし、折線を含む一角を切除してマチ部とし、該マチ部とそれと連続する側辺を接合して、開口部がマチ部より広く開口した略扇状の袋に形成すると共に、上記開口部の縁部に沿ってミシン目を設けたことを特徴とする生花等の包装袋。
【請求項２】
枚のシートを重ねて２枚重ねとし、マチ部とそれを挟む両側辺を接合して、開口部がマチ部より広く開口した略扇状の袋に形成すると共に、上記開口部の縁部に沿ってミシン目を設けたことを特徴とする生花等の包装袋．
【請求項３】
ミシン目の端部に透孔を設けた請求の範囲第１項記載の生花等の包装袋。
【請求項４】
ミシン目の端部に透孔を設けた請求の範囲第２項記載の生花等の包装袋。
【請求項５】
ミシン目の端部に補強シールを貼付して設けた請求の範囲第１項記載の生花等の包装袋。
【請求項６】
ミシン目の端部に補強シールを貼付して設けた請求の範囲第２項記載の生花等の包装袋。
【請求項７】
開口部の縁部を曲線で構成した請求の範囲第１項記載の生花等の包装袋。
【請求項８】
開口部の縁部を曲線で構成した請求の範囲第２項記載の生花等の包装袋。
【請求項９】
開口部の縁部を曲線で構成した請求の範囲第３項記載の生花等の包装袋。
【請求項１０】
開口部の縁部を曲線で構成した請求の範囲第４項記載の生花等の包装袋。
【請求項１１】
開口部の縁部を曲線で構成した請求の範囲第５項記載の生花等の包装袋。
【請求項１２】
開口部の縁部を曲線で構成した請求の範囲第６項記載の生花等の包装袋。
【請求項１３】
シートを不透水性素材で構成した請求の範囲第１項記載の生花等の包装袋。
【請求項１４】
シートを不透水性素材で構成した請求の範囲第２項記載の生花等の包装袋。
【請求項１５】
シートを不透水性素材で構成した請求の範囲第３項記載の生花等の包装袋。
【請求項１６】
シートを不透水性素材で構成した請求の範囲第４項記載の生花等の包装袋。
【請求項１７】
シートを不透水性素材で構成した請求の範囲第５項記載の生花等の包装袋。
【請求項１８】
シートを不透水性素材で構成した請求の範囲第６項記載の生花等の包装袋。
【請求項１９】
シートを不透水性素材で構成した請求の範囲第７項記載の生花等の包装袋。
【請求項２０】
シートを不透水性素材で構成した請求の範囲第８項記載の生花等の包装袋。
【請求項２１】
シートを不透水性素材で構成した請求の範囲第９項記載の生花等の包装袋。
【請求項２２】
シートを不透水性素材で構成した請求の範囲第１０項記載の生花等の包装袋。
【請求項２３】
シートを不透水性素材で構成した請求の範囲第１１項記載の生花等の包装袋。
【請求項２４】
シートを不透水性素材で構成した請求の範囲第１２項記載の生花等の包装袋。
【発明の詳細な説明】
【技術分野】    この発明は、生花などで簡単に花束を作ることのできる包装袋に関し、花束として利用できるほか、そのまま持ち手で吊り下げて持ち運んだり、机上に載置して盛り花の室内装飾としても利用できるようにしたものである。
【背景技術】    生花を束ねて花束やブーケなどを作る場合、従来は多数本の生花の切り口を束ねたうえ輪ゴム等で仮止めし、その切り口部分をタオルやガーゼなどに水を含ませた給水材で包み込み、その外側をアルミニウムホイルなどで覆い、さらにその外側全体を透明フィルムや包装紙で包み、束ねた根元の外周をリボン等の紐材で結束している。従って、花束の作成は多大な手間と時間を要するものとなっていた。
一方、藤の蔓などを編み上げて、小籠を作成し、これに生花を活けて盛り花とした装飾品も広く利用されているが、この場合も小籠の作成などにコストがかかるものであった。
本発明は、かかる実情に鑑みなされたもので、美麗な花束を簡単かつ安価に提供できるようにするとともに、机上に載置して装飾としても利用できるようにした生花等の包装袋を提供することを目的としたものである。
【発明の開示】
本発明は、上記課題を解決するため、シートを二つ折りにして２枚重ねとし、折線を含む一角を切除してマチ部とし、該マチ部とそれと連続する側辺を接合して、開口部がマチ部より広く開口した略扇状の袋に形成すると共に、上記開口部の縁部に沿ってミシン目を設けるという手段を採用した。
または、２枚のシートを重ねて２枚重ねとし、マチ部とそれを挟む両側辺を接合して、開口部がマチ部より広く開口した略扇状の袋に形成すると共に、上記開口部の縁部に沿ってミシン目を設けるという手段を採用した。
かかる構成の包装袋は、束ねた生花等を挿し入れ、マチ部近傍を絞縮するだけで簡単に花束を作成することができる。また、マチ部を利用して底面を平板とすれば自立する盛り花とすることもできる。さらに、開口部の縁部をミシン目に沿って部分的に切り離すことで、持ち手を構成することができ、持ち運びに便利である。
また、この場合に、ミシン目の端部に透孔を設けるという手段、または、補強シールを貼付するという手段を採用した。
ミシン目に沿って切り離して持ち手を構成した場合、この透孔や補強シールによって持ち手の端で断裂が生じないようにすることができる。
さらに、上記袋の開口部の縁部を曲線で構成するという手段を採用した。
包装紙の縁端が曲線状となるので、見た目が優しい花束や盛り花を作成できる。
また、シートは不透水性の素材で構成するという手段を採用した。
生花等を束ねた端部に給水材を用いることができるようになり、生花を長持ちさせることが可能である。
【図面の簡単な説明】    第１図は、本発明に係る草花等の包装袋の平面図である。
第２図は、（Ａ）は包装袋を使用して花束とした例を示し、（Ｂ）は盛り花とした例を示すものである。
第３図は、ミシン目の端部を、透孔に替え補強シールを貼付した例を示すものである。
第４図は、生花等の包装袋の他の実施形態を示し、開口部を曲線状としたものである。
第５図は、生花等の包装袋の他の実施形態を示し、長さを長くしたものである。
【発明を実施するための最良の形態】    以下、本発明に係る生花等の包装袋の好ましい実施形態を図面に従って説明する。    第１図は包装袋の平面図である。図において、１は角の一部を切除した略正方形状のシートまたは紙葉からなる包装袋であって、２枚重ねになっている。この包装袋１は、例えば縦横比が２対１の合成樹脂フィルムからなるシートを折線２で二つ折りにして正方形状とし、折線２を含む一角３を切除してマチ部４を形成した上、該マチ部４とそれに続く一側辺５を例えばヒートシール６等で接合して残り２辺を開口部７とした袋状とすることで簡単に得ることができる。ただし、これに限定するものではなく、図示したような五角形状に裁断したシートを２枚重ねとし、マチ部４とそれを挟む両側辺２、５を所望の方法で接合して袋状としてもよい。また、シートの形状は五角形に限定するものでもない。即ち、上部開口部７がマチ部４より広く開口する側面視略扇状の包装袋を形成すればよい。
次に、８は袋の開口部７側の二辺に沿って設けたミシン目で、該開口部７でシートの縁部を部分的に切り離し可能としたものである。また、９、９’は上記ミシン目８の各端部に設けた円形の透孔であって、シートをミシン目８で切り離すときに、ミシン目８以外の部分が不用意に断裂しないようにするためのものである。なお、このミシン目８および透孔９は必要に応じて設ければよい。
この包装袋を用いて、例えば第２図（Ａ）に示すような花束を作成するには以下のようにする。即ち、先ず所望の本数の生花Ｆ、Ｆ…を所定の長さに切りそろえて端部で束ねる。次にその生花の束の端部を本願の包装袋のマチ部４まで挿し入れ、マチ部４から少し上の部分を外側から絞縮して生花の端部と共に紐１０等で結び止めるのである。残りの包装部分は、適宜花束になじませる。これにより、誰にでも簡単に、かつ、手間を要さずに図示したような花束を作成することができる。この場合、必要に応じて、生花を端部で束ねた際に、該端部を水を含ませた給水材で覆っておけば、水分が十分に供給され、生花が長持ちする。そのときには包装袋を構成するシートは不透水性のフィルムとすれば外部に水が漏れるおそれがなくなり、持ち運びにも便利である。なお、シート自体の素材は自由に選択でき、その柄も無地でも、所望の柄をプリント等したものでも任意に選択できることはいうまでもない。
次に、第２図（Ｂ）に示すような盛り花を作成する場合について説明する。先ず、オアシス等の給水材を用意し、これを包装袋のマチ部の大きさに応じた円錐状とする。これに所望の生花を挿し、本願の包装袋のマチ部に入れる。次に包装袋の中段部分を絞縮して紐やリボン等で結び止めるのである。これにより、この場合も、誰にでも簡単に図のような盛り花を作ることができる。このとき、マチ部があるので、袋の底は円錐状の給水材の形状と対応して平板な円形となり、安定良く机上に載置することができる。この場合、給水材が水を含むので、不透水性のシート材で構成することが好ましい。
また、この場合、上述したように開口部側にはミシン目８があるので、該部でシートの縁部を切り離すと、持ち手１１を形成することができる。従って、盛り花の形を崩さずに、簡単に持ち運べるようになる。このとき、ミシン目８の端部には円形の透孔９を設けているので、ミシン目８から破って持ち手１１とした場合でもその端部に集中して力がかかることがないから、該部から持ち手１１が断裂するようなことはない。また、盛り花として飾る場合、持ち手１１が不要であれば切り離すこともできる。なお、透孔９は持ち手１１の端が断裂することを避けるために設けるものであるから、その目的を達成できるものであればその形状は円形に限定されない。また、上記透孔９に替えて、第３図に示すように、ミシン目８の端部に補強シール９’を貼付して該部での断裂を防止することもできる。
第４図は、本発明に係る生花等の包装袋の他の実施形態である。即ち、上記実施形態において、開口部７を曲線状に切除したものである。かかる構成によって、花束とした場合も、盛り花とした場合も、シート縁部が曲線状であるので、看者に優しい印象を与えることができる。また、この曲線状の縁部に沿ってミシン目８を設けることもでき、上記と同様に持ち手を形成できる。
また、第５図はさらに他の実施形態を示すものである。即ちシートの平面形状を、両側辺の形成する角度を鋭角的にして縦長の袋に構成したものである。この場合は、長尺の生花を花束とする場合に便利である。なお、この実施形態では、２枚重ねのシートのマチ部４及び両側の側縁部５をヒートシール６等で接合して袋を形成している。また、１２は切り取り用ミシン目である。即ち、例えば長尺の花を短く切りそろえてブーケ状とする場合、包装袋の開口端部をこの切り取り用ミシン目から切り取れば、そのままブーケ用の短い包装袋として利用できるようになるものである。
なお、上記各実施形態では生花による花束や盛り花を例に説明したが、これに限定するものではなく、ドライフラワーや造花等を使用した花束等の作成に利用できることは勿論である。
【産業上の利用の可能性】
以上述べたように、本発明に係る包装袋によれば、束ねた生花等を袋に挿し入れ、マチ部近傍を絞縮して紐等で結び止めるだけで、誰にでも簡単に美麗な花束を作成することができるようになった。また、２枚重ねのシートにおいてマチ部とその両側辺を接合しただけの構成であるから、極めて安価に包装袋を提供できる。
また、マチ部に円錐状の給水材を設け、底面を平板にすることによって、机上に載置可能な盛り花としても利用できる。
また、開口部に沿ってミシン目を設けることによって、該部を切り離し、持ち手を形成することができ、花束や盛り花の持ち運びが便利となった。このとき、ミシン目のそれぞれの端部に透孔や補強シールを設けたことによって、該端部での断裂を防止することができる。
さらに、シートを不透水性の素材で構成することによって、給水材等を利用して生花に水分を補給できるから、生花が長持ちする。
【図１】
2004000669.tif 000003
【図２】
2004000669.tif 000004
【図３】
2004000669.tif 000005
【図４】
2004000669.tif 000006
【図５】
2004000669.tif 000007
【手続補正書】
【提出日】平成15年10月14日(2003.10.14)
【手続補正００１】
【補正対象書類名】特許請求の範囲
【補正対象項目名】特許請求の範囲
【補正方法】変更
【補正の内容】
【特許請求の範囲】
【請求項１】
（補正後）シートを二つ折りにして２枚重ねとし、折線を含む一角を切除してマチ部とし、該マチ部とそれと連続する側辺を接合して、開口部がマチ部より広く開口した略扇状の袋に形成すると共に、上記開口部の縁部に沿ってミシン目を設けたことを特徴とする花の包装袋。
【請求項２】
（補正後）２枚のシートを重ねて２枚重ねとし、マチ部とそれを挟む両側辺を接合して、開口部がマチ部より広く開口した略扇状の袋に形成すると共に、上記開口部の縁部に沿ってミシン目を設けたことを特徴とする花の包装袋。
【請求項３】
（補正後）ミシン目の端部に透孔を設けた請求の範囲第１項記載の花の包装袋。
【請求項４】
（補正後）ミシン目の端部に透孔を設けた請求の範囲第２項記載の花の包装袋。
【請求項５】
（補正後）ミシン目の端部に補強シールを貼付して設けた請求の範囲第１項記載の花の包装袋。
【請求項６】
（補正後）ミシン目の端部に補強シールを貼付して設けた請求の範囲第２項記載の花の包装袋。
【請求項７】
（補正後）開口部の縁部を曲線で構成した請求の範囲第１項記載の花の包装袋。
【請求項８】
（補正後）開口部の縁部を曲線で構成した請求の範囲第２項記載の花の包装袋。
【請求項９】
（補正後）開口部の縁部を曲線で構成した請求の範囲第３項記載の花の包装袋。
【請求項１０】
（補正後）開口部の縁部を曲線で構成した請求の範囲第４項記載の花の包装袋。
【請求項１１】
（補正後）開口部の縁部を曲線で構成した請求の範囲第５項記載の花の包装袋。
【請求項１２】
（補正後）開口部の縁部を曲線で構成した請求の範囲第６項記載の花の包装袋。
【請求項１３】
（補正後）シートを不透水性素材で構成した請求の範囲第１項記載の花の包装袋。
【請求項１４】
（補正後）シートを不透水性素材で構成した請求の範囲第２項記載の花の包装袋。
【請求項１５】
（補正後）シートを不透水性素材で構成した請求の範囲第３項記載の花の包装袋。
【請求項１６】
（補正後）シートを不透水性素材で構成した請求の範囲第４項記載の花の包装袋。
【請求項１７】
（補正後）シートを不透水性素材で構成した請求の範囲第５項記載の花の包装袋。
【請求項１８】
（補正後）シートを不透水性素材で構成した請求の範囲第６項記載の花の包装袋。
【請求項１９】
（補正後）シートを不透水性素材で構成した請求の範囲第７項記載の花の包装袋。
【請求項２０】
（補正後）シートを不透水性素材で構成した請求の範囲第８項記載の花の包装袋。
【請求項２１】
（補正後）シートを不透水性素材で構成した請求の範囲第９項記載の花の包装袋。
【請求項２２】
（補正後）シートを不透水性素材で構成した請求の範囲第１０項記載の花の包装袋。
【請求項２３】
（補正後）シートを不透水性素材で構成した請求の範囲第１１項記載の花の包装袋。
【請求項２４】
（補正後）シートを不透水性素材で構成した請求の範囲第１２項記載の花の包装袋。
【国際調査報告】
2004000669.tif 000008
2004000669.tif 000009
2004000669.tif 000010
2004000669.tif 000011